【手続補正書】
【提出日】平成25年4月15日(2013.4.15)
【手続補正１】
【補正対象書類名】明細書
【補正対象項目名】発明の名称
【補正方法】変更
【補正の内容】
【発明の名称】プログラム、サーバ及びネットワークシステム
【手続補正２】
【補正対象書類名】特許請求の範囲
【補正対象項目名】全文
【補正方法】変更
【補正の内容】
【特許請求の範囲】
【請求項１】
複数のユーザの各々が所与のゲームをプレイした結果に基づく所与のサービスをネットワークを介して前記複数のユーザの端末に提供するプログラムであって、
ユーザが前記ゲームをプレイしたゲーム結果情報をユーザ識別情報に対応づけて取得するゲーム結果情報取得部と、
バトルの相手となる複数のユーザの各々のユーザ識別情報に対応付けて所定のバトル期間内に取得されたゲーム結果情報に基づいて、当該バトルの結果情報を生成するバトル結果情報生成部と、
バトルの相手となる複数のユーザの各々の端末にバトルの結果情報を通知するバトル結果情報通知部として、コンピュータを機能させることを特徴とするプログラム。
【請求項２】
複数のユーザの各々が所与のゲームをプレイした結果に基づく所与のサービスをネットワークを介して前記複数のユーザの端末に提供するサーバであって、
ユーザが前記ゲームをプレイしたゲーム結果情報をユーザ識別情報に対応づけて取得するゲーム結果情報取得部と、
バトルの相手となる複数のユーザの各々のユーザ識別情報に対応付けて所定のバトル期間内に取得されたゲーム結果情報に基づいて、当該バトルの結果情報を生成するバトル結果情報生成部と、
バトルの相手となる複数のユーザの各々の端末にバトルの結果情報を通知するバトル結果情報通知部とを含むことを特徴とするサーバ。
【請求項３】
サーバが、複数のユーザの各々が所与のゲームをプレイした結果に基づく所与のサービスをネットワークを介して前記複数のユーザの端末に提供するネットワークシステムであって、
前記サーバは、
ユーザが前記ゲームをプレイしたゲーム結果情報をユーザ識別情報に対応づけて取得するゲーム結果情報取得部と、
バトルの相手となる複数のユーザの各々のユーザ識別情報に対応付けて所定のバトル期間内に取得されたゲーム結果情報に基づいて、当該バトルの結果情報を生成するバトル結果情報生成部と、
バトルの相手となる複数のユーザの各々の端末にバトルの結果情報を通知するバトル結果情報通知部とを含み、
前記端末は、
表示部と、
通知されたバトルの結果を含む情報を取得して前記表示部に表示させるバトル結果情報取得部とを含むことを特徴とするネットワークシステム。
【請求項４】
請求項３において、
前記サーバは、
ユーザの端末からバトルの相手となるユーザが指定されたバトル申込みの情報を取得するバトル申込情報取得部と、
バトルの相手として指定されたユーザの端末にバトルの申込みがあったことを通知するバトル申込み通知部と、
バトルの申込みがあったことを通知されたユーザの端末からバトルを受付けることを示す情報を取得するバトル受付情報取得部と、
バトルを受付けることを示す情報が取得された時刻情報に基づいて前記バトル期間を決定するバトル期間決定部とをさらに含み、
前記端末は、
ユーザの入力操作に基づいて、バトル申込みの情報を生成して前記サーバに送信するバトル申込情報送信部と、
前記サーバからバトルの申込みの通知を取得し、前記表示部に当該通知を表示するバトル申込通知取得部と、
ユーザの入力操作に基づいて、バトルの申込みの通知に対して当該バトルを受け付けるか否かを決定し、受け付ける場合は当該バトルを受付けることを示す情報を前記サーバに送信するバトル受付情報送信部とをさらに含むことを特徴とするネットワークシステム。
【請求項５】
請求項３又は４において、
前記サーバは、
ユーザの端末から前記サービスへの参加を勧誘する他のユーザが指定された情報を取得するユーザ勧誘情報取得部と、
ユーザの端末から当該サービスに参加することを示す情報を取得するユーザ参加情報取得部と、
前記ユーザ勧誘情報取得部が取得する情報とユーザ参加情報取得部が取得する情報に基づいて、前記サービスに参加するユーザが当該サービスへの参加を勧誘された他のユーザであるか否かを判定するユーザ判定部とをさらに含み、
前記バトル結果情報生成部が、
前記サービスに参加するユーザが当該サービスへの参加を勧誘された他のユーザである場合、前記サービスへの参加を勧誘したユーザ及び勧誘されて参加した他のユーザの少なくとも一方に対して、前記バトル期間内における前記ゲーム結果情報の少なくとも一部の要素を変更し、
前記端末は、
ユーザの入力操作に基づいて、前記サービスへの参加を勧誘する他のユーザが指定された情報を生成して前記サーバに送信するユーザ勧誘情報送信部と、
ユーザの入力操作に基づいて、当該サービスに参加することを示す情報を送信するユー
ザ参加情報送信部とをさらに含むことを特徴とするネットワークシステム。
【請求項６】
請求項３乃至５のいずれかにおいて、
前記サーバは、
前記バトル結果情報生成部が、
前記バトル期間内に取得された前記ゲーム結果情報の所定の要素について、バトルの相手となる複数のユーザの各々の前記バトル期間における最高値を比較し、比較結果に基づいてバトルの勝敗を決定することを特徴とするネットワークシステム。
【請求項７】
請求項３乃至５のいずれかにおいて、
前記サーバは、
前記バトル結果情報生成部が、
前記バトル期間内に取得された前記ゲーム結果情報の所定の要素について、バトルの相手となる複数のユーザの各々の前記バトル期間における累計値を比較し、比較結果に基づいてバトルの勝敗を決定することを特徴とするネットワークシステム。
【請求項８】
請求項３乃至５のいずれかにおいて、
前記サーバは、
前記バトル結果情報生成部が、
前記バトル期間内に取得された前記ゲーム結果情報に所与の付加情報を付加して演算し、バトルの勝敗を決定することを特徴とするネットワークシステム。
【請求項９】
請求項８において、
前記サーバは、
前記バトル結果情報生成部が、
バトルの相手となる複数のユーザの各々の前記バトル期間における前記ゲームのプレイ回数を前記付加情報として、バトルの勝敗を決定することを特徴とするネットワークシステム。
【請求項１０】
請求項８において、
前記サーバは、
前記バトル結果情報生成部が、
ランダムな情報を前記付加情報としてバトルの勝敗を決定することを特徴とするネットワークシステム。
【請求項１１】
請求項８において、
前記サーバは、
取得されたゲーム結果情報に基づいて各ユーザの段位の情報を生成する段位情報生成部をさらに含み、
前記バトル結果情報生成部が、
各ユーザの段位の情報を前記付加情報としてバトルの勝敗を決定することを特徴とするネットワークシステム。
【請求項１２】
請求項８において、
前記サーバは、
所与の条件が成立した場合に、所与のメッセージ投稿サービスを提供するサーバに投稿メッセージを送信する投稿メッセージ送信部をさらに含み、
前記バトル結果情報生成部が、
前記投稿メッセージの送信回数を前記付加情報としてバトルの勝敗を決定することを特徴とするネットワークシステム。
【請求項１３】
請求項３乃至１２のいずれかにおいて、
前記サーバは、
前記バトル結果情報生成部が、
前記バトル期間内に新たに取得された前記ゲーム結果情報に基づいてバトルの途中経過情報を生成し、
前記バトル結果情報通知部が、
バトルの相手となる複数のユーザの端末にバトルの途中経過情報を通知し、
前記端末は、
バトル結果情報取得部が、
前記サーバからバトルの途中経過情報を取得して前記表示部に表示させることを特徴とするネットワークシステム。
【請求項１４】
請求項３乃至１３のいずれかにおいて、
前記サーバは、
前記バトル結果情報生成部が、
前記バトル期間内に新たに取得された前記ゲーム結果情報に基づいてバトルの暫定の勝敗を判定し、
前記バトル結果情報通知部が、
前記バトル期間中にバトルの暫定の勝敗が変更された場合、敗者となっているユーザの端末にバトルの暫定の勝敗が変更されたことを通知することを特徴とするネットワークシステム。
【請求項１５】
請求項３乃至１４のいずれかにおいて、
前記端末は、
ユーザが所与のゲーム装置で前記ゲームをプレイした前記ゲーム結果情報を当該ゲーム装置から取得して前記サーバに送信するゲーム結果情報送信部をさらに含むことを特徴とするネットワークシステム。